(57)【要約】【課題】樹脂被覆ワイヤロープを容易に引き回せるエレベータのワイヤロープ引回し方法を提供する。【解決手段】エレベータは、ガイドレールにそれぞれ昇降自在に設けられる乗りかご及び釣合錘と、ガイドレールの上部に設けられる、駆動シーブを有する巻上機と、乗りかご及び釣合錘に連結され、駆動シーブで駆動される複数本のワイヤロープと、を備えている。ワイヤロープ引回し方法は、全てのワイヤロープを、各ワイヤロープの先端を揃えた状態で駆動シーブに巻き掛ける巻掛行程と、巻上機を作動させ、全てのワイヤロープを駆動シーブの回転により送り出し、順次エレベータにワイヤロープを引き回す引回し行程と、を備えている。【選択図】図４
2019006512.tif 000002
【特許請求の範囲】
【請求項１】
ガイドレールにそれぞれ昇降自在に設けられる乗りかご及び釣合錘と、前記ガイドレールの上部に設けられる、駆動シーブを有する巻上機と、前記乗りかご及び前記釣合錘に連結され、前記駆動シーブで駆動される複数本のワイヤロープと、を備えるエレベータにおいて、
前記複数本全てのワイヤロープを、各ワイヤロープの先端を揃えた状態で前記駆動シーブに巻き掛ける巻掛行程と、
前記巻上機を作動させ、前記ワイヤロープを前記駆動シーブの回転により送り出し、順次エレベータに前記ワイヤロープを引き回す引回し行程と、を備えるエレベータのワイヤロープ引回し方法。
【請求項２】
前記ワイヤロープの先端に、各ワイヤロープを固定する固定具を取り付け、
前記固定具に、前記駆動シーブに巻き掛けられた前記ワイヤロープが自重により巻き戻らない重量の錘を設けることとした請求項１に記載のエレベータのワイヤロープ引回し方法。
【請求項３】
前記ワイヤロープは、鋼鉄製の心綱と前記心綱の周囲に配置される複数の鋼鉄製のストランドとを有し、前記ストランドの外周に合成樹脂材が被覆されている請求項１又は２に記載のエレベータのワイヤロープ引回し方法。
【請求項４】
前記合成樹脂材は、前記ワイヤロープを前記駆動シーブに巻き掛けた状態で、前記ワイヤロープを前記駆動シーブに対して滑らせることができない摩擦係数を有している請求項３に記載のエレベータのワイヤロープ引回し方法。
【発明の詳細な説明】
【技術分野】
【０００１】
本発明の実施形態は、エレベータのワイヤロープ引回し方法に関する。
【背景技術】
【０００２】
近年、エレベータにおいて、抗張力部材の表面をポリウレタンのような耐摩耗性と高摩擦係数を有する樹脂材で被覆したワイヤロープの使用が考慮されている。この種のワイヤロープは、表面の摩擦係数が高く、メインロープに使用した場合駆動シーブに密着して作動性に優れている。
【先行技術文献】
【特許文献】
【０００３】
【特許文献１】特開平１１−３２２２２１号公報
【特許文献２】特開２００１−２８７８７７号公報
【発明の概要】
【発明が解決しようとする課題】
【０００４】
樹脂被覆のワイヤロープは、摩擦係数が高いため、駆動シーブに掛けた状態でワイヤロープが滑らず、エレベータの全体にワイヤロープを容易に引き回すことができなかった。又メインロープに、樹脂被覆ワイヤロープを複数本使用している場合は、個別にワイヤロープを引き回すと、各メインロープの先端の位置が一致しなくなってしまう。
【０００５】
本発明の実施形態は、エレベータにおいて、樹脂被覆ワイヤロープをメインロープに複数本使用する場合、ワイヤロープを確実に効率よく引き回すことができるワイヤロープの引回し方法を提供することを目的とする。
【課題を解決するための手段】
【０００６】
一実施形態のワイヤロープ引回し方法は、次のように構成されている。エレベータは、ガイドレールにそれぞれ昇降自在に設けられる乗りかご及び釣合錘と、ガイドレールの上部に設けられる、駆動シーブを有する巻上機と、乗りかご及び釣合錘に連結され、駆動シーブで駆動される複数本のワイヤロープと、を備えている。
【０００７】
そのワイヤロープ引回し方法は、全てのワイヤロープを、各ワイヤロープの先端を揃えた状態で駆動シーブに巻き掛ける巻掛行程と、巻上機を作動させ、全てのワイヤロープを駆動シーブの回転により送り出し、順次エレベータにワイヤロープを引き回す引回し行程と、を備えて構成されている。
【図面の簡単な説明】
【０００８】
【図１】実施形態のエレベータを示す斜視図。
【図２】メインロープを示す断面図。
【図３】メインロープを示す断面斜視図。
【図４】メインロープを引き回している状態を示すエレベータの斜視図。
【図５】巻上機を示す斜視図。
【発明を実施するための形態】
【０００９】
以下、図面を参照して実施形態を説明する。図１は、実施形態に係るマシンルームレスタイプのエレベータ１０の概略構成を示す図である。エレベータ１０は、建屋に設けられた昇降路１４を有し、昇降路１４の内部に乗りかご１６および釣合錘であるカウンタウェイト１８がそれぞれガイドレール２０、２２を介して昇降動可能に支持されている。さらに、制御盤２４、及び駆動シーブであるトラクションシーブ２６を有する巻上機３０が昇降路１４の上部に設置されている。
【００１０】
乗りかご１６およびカウンタウェイト１８は、３本の樹脂被覆のワイヤロープをメインロープ３２に用いて、昇降路１４内に支持されている。尚、メインロープ３２の本数は３本に限るものではない。又、請求項でいう乗りかご１６等がメインロープ３２に連結されているとは、メインロープ３２と直接連結されていることのみではなく、後述する各シーブを介してメインロープ３２で吊り上げ、あるいは吊り下げられていることを含む。
【００１１】
メインロープ３２の一端部３２ａおよび他端部３２ｂは、それぞれに昇降路１４の上端にロープヒッチ３４ａ、３４ｂを介して固定されている。一端部３２ａは、請求項でいうワイヤロープの先端に相当する。また、メインロープ３２の中間部３２ｃが、乗りかご１６に設けられたシーブ３６、巻上機３０に設けられたトラクションシーブ２６およびカウンタウェイト１８に設けられたシーブ３８に連続的に巻き掛けられている。これにより、乗りかご１６とカウンタウェイト１８は、２：１ローピング形式で支持されている。
【００１２】
巻上機３０は、支持梁４４に固定されている。支持梁４４は、ガイドレール２２の上部に設けられている。巻上機３０は、制御盤２４からの指示に従って作動し、トラクションシーブ２６を回転駆動させる。
【００１３】
巻上機３０の駆動によりトラクションシーブ２６が回転すると、そのトラクションシーブ２６の回転に伴い、乗りかご１６とカウンタウェイト１８がメインロープ３２を介して昇降路１４内をつるべ式に昇降動作する。
【００１４】
また、昇降路１４内には、調速機(ガバナ)４０が設けられている。図中の４２は調速機４０を回転駆動するためのガバナロープである。調速機４０は、乗りかご１６の昇降動作に伴って移動するガバナロープ４２を介して乗りかご１６の位置、速度を検出し、何らかの異常で乗りかご１６の速度が設定速度を超えた場合に、制御盤２４がブレーキを起動する。
【００１５】
なお、機械室がないマシンルームレスタイプのエレベータでは、巻上機３０が昇降路１４内に設置されるが、本発明は特にこの構成に限定されるものではなく、機械室を有するエレベータであってもよい。機械室を有するエレベータでは、巻上機３０が機械室に設置される。また、ローピングについても、図１に示したような２：１ローピングに限らず、例えば１：１ローピングなどの他の方式であっても良い。
【００１６】
図２および図３を参照してメインロープ３２の構造について説明する。図２は、メインロープ３２を破断して示す断面図である。図３は、メインロープ３２を示す断面斜視図である。図２に示すように、メインロープ３２は、抗張力部材としてのロープ本体４６と、ロープ本体４６を全面的に被覆した外部被覆層４８とを主要な要素として備えている。
【００１７】
ロープ本体４６は、複数本の鋼鉄製のストランド５０を所定のピッチで撚り合わせることで構成されている。外部被覆層４８を形成する合成樹脂材は、隣り合うストランド５０の間の隙間に充填されている。そのため、外部被覆層４８は、ロープ本体４６の周方向に隣り合うストランド５０の間に入り込む複数の充填部５２を有している。充填部５２は、外部被覆層４８の外周面４８ａの内側に位置されている。
【００１８】
外部被覆層４８は、例えばポリウレタンのような耐摩耗性および高摩擦係数を有する熱可塑性の樹脂材で形成されている。外部被覆層４８は、メインロープ３２の外表面を規定する外周面４８ａを有している。外周面４８ａは、円形の断面形状を有するとともに、各トラクションシーブ２６、シーブ３６、シーブ３８に巻き掛けられると、各シーブ２６等に対してほとんど滑りを生じさせない摩擦係数を有している。
【００１９】
シーブ３６とシーブ３８は、従動タイプで、支持軸周りに自由に回動する。したがって、これらシーブ３６、３８にメインロープ３２を掛けた場合、メインロープ３２を引っ張ることで、メインロープ３２を移動させることができる。
【００２０】
次に、メインロープ３２を、エレベータ１０に新たに引き回す場合について図４、図５を用いて説明する。図４は、メインロープ３２を引き回している途中を示す斜視図である。図５は、巻上機３０を示す斜視図である。
【００２１】
乗りかご１６は、最上階の１階下の階に固定する。カウンタウェイト１８は、昇降路１４内の適宜の高さに固定する。乗りかご１６やカウンタウェイト１８は、チェーンブロック等を用いて昇降路１４内に吊り下げて固定する。又、カウンタウェイト１８は、ガイドレール２２内に置いた台の上に載せてもよい。
【００２２】
未使用のワイヤロープを巻き付けたドラム５４を、最上階のエレベータフロア５６に、必要本数分の３個用意する。ドラム５４には、エレベータ１０において必要な長さより若干長い長さの樹脂被覆ワイヤロープが巻き付けられている。以下、説明上エレベータ１０に引き回されていない未使用の樹脂被覆ワイヤロープもメインロープ３２と呼ぶ。
【００２３】
作業員は、各ドラム５４からメインロープ３２の一端部３２ａを取り出し、エレベータフロア５６の開口部５８から昇降路１４内に引き入れ、トラクションシーブ２６に巻き掛ける。その際、各メインロープ３２は、できるだけ先端を揃えた状態でトラクションシーブ２６に掛ける。
【００２４】
次に、図５に示すように、トラクションシーブ２６に掛けた各メインロープ３２の一端部３２ａに、固定具６０を取り付ける。固定具６０は、各メインロープ３２の一端部３２ａを両側から挟み、ねじ止め等によりトラクションシーブ２６に掛けられたと同じ間隔で固定する。固定具６０には錘６２が取り付けられている。錘６２は、メインロープ３２の自重でメインロープ３２がトラクションシーブ２６の巻き掛けから戻らないように保持する。
【００２５】
又、固定具６０には、先導用のワイヤ６４が連結されている。先導用のワイヤ６４は、これを巻取機等により引っ張ることで全てのメインロープ３２を一括して移動できる。
【００２６】
各メインロープ３２の一端部３２ａを固定具６０に固定したなら、巻上機３０を作動させ、メインロープ３２が送り出される方向にトラクションシーブ２６を回転させる。すると、全メインロープ３２は、固定具６０に取り付けられた錘６２の重さとトラクションシーブ２６の回転とにより巻上機３０から昇降路１４内を下降する。それに伴い、メインロープ３２は、ドラム５４から順次引き出される。
【００２７】
そして、メインロープ３２の一端部３２ａが乗りかご１６の下部に達したら、乗りかご１６の一方のシーブ３６に巻き掛け、乗りかご１６の下を回して、他方のシーブ３６に掛ける。そして、巻取機で先導用のワイヤ６４を巻き上げ、メインロープ３２の一端部３２ａを昇降路１４の上部に引き上げる。巻取機は、予め昇降路１４の上部に設置しておく。メインロープ３２の一端部３２ａを昇降路１４の最上部に引き上げたら、その一端部３２ａを、図４に示すロープヒッチ３４ａに固定する。これで、トラクションシーブ２６を挟んで乗りかご１６側のメインロープ３２の引き回しは、概ね終了する。
【００２８】
次に、ドラム５４からメインロープ３２を引き出し、巻上機３０を挟んで乗りかご１６と反対側に位置するメインロープ３２の中間部３２ｃをカウンタウェイト１８のシーブ３８に巻き掛ける。あるいは、ドラム５４から全てのメインロープ３２を引き出し、メインロープ３２の他端部３２ｂ(図１参照)をカウンタウェイト１８のシーブ３８に巻き掛ける。
【００２９】
その際、巻上機３０は停止しているので、メインロープ３２はトラクションシーブ２６に密着し、基本的に移動することはない。メインロープ３２をカウンタウェイト１８のシーブ３８に巻き掛けたら、他端部３２ｂを巻取機等を用いて昇降路１４の上部に上げ、メインロープ３２を所定の長さに切断した後、メインロープ３２の他端部３２ｂをロープヒッチ３４ｂに固定する。このとき、メインロープ３２の他端部３２ｂに、上述したと同様固定具６０を取り付けて作業を行ってもよい。
【００３０】
メインロープ３２の一端部３２ａ及び他端部３２ｂがそれぞれロープヒッチ３４ａ、３４ｂに固定され、メインロープ３２が全てのシーブ２６等に巻き掛けられたら、乗りかご１６を固定しているチェーンブロックを作動させ、乗りかご１６を昇降路１４内で下げて、メインロープ３２で乗りかご１６及びカウンタウェイト１８を吊り下げる。
【００３１】
以上説明したように、本実施形態のエレベータ１０のメインロープ３２の引回し方法によれば、トラクションシーブ２６との摩擦が大きい、合成樹脂材が表面に被覆されたメインロープ３２を、エレベータ１０全体に効率よく引き回すことができる。
【００３２】
又、トラクションシーブ２６とメインロープ３２との間で、無理な引っ張り力が生じないため、それによるメインロープ３２の伸びや摩耗等の不具合が発生しない。複数のメインロープ３２の先端を揃えた状態で移動でき、引き回した後、各メインロープ３２間のずれを調整する必要がない。
【００３３】
尚、上記例では、最上階のエレベータフロアから未使用のメインロープ３２を昇降路１４内に引き入れたが、これに限るものではなく、他のエレベータフロアから行ってもよい。又、メインロープ３２の引き回しを乗りかご１６側から行なったが、カウンタウェイト１８側を先に行ってもよい。
【００３４】
更に、エレベータに既に取り付けられている古いメインロープを新規のメインロープ３２に交換する場合に、古いメインロープの端部に新規のメインロープ３２の先端を連結し、巻上機３０を作動させながら古いメインロープに連続して新規のメインロープ３２を送り出すようにしてもよい。又、メインロープ３２を複数本としたが、メインロープが１本のエレベータの場合でも本引回し方法は用いられる。
【００３５】
なお、本発明の実施形態を説明したが、実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに、特許請求の範囲に記載された発明とその均等の範囲に含まれる。
【符号の説明】
【００３６】
１０…エレベータ、１４…昇降路、１６…乗りかご、１８…カウンタウェイト、２０．２２…ガイドレール、２４…制御盤、２６…トラクションシーブ、３０…巻上機、３２…メインロープ、３２ａ…一端部、３２ｂ…他端部、３２ｃ…中間部、３４ａ、３４ｂ…ロープヒッチ、３６…シーブ、３８…シーブ、４０…調速機、４２…ガバナロープ、４４…支持梁、４６…ロープ本体、４８…外部被覆層、４８ａ…外周面、５０…ストランド、５２…充填部、５４…ドラム、５６…エレベータフロア、５８…開口部、６０…固定具、６２…錘、６４…ワイヤ。
【図１】
2019006512.tif 000003
【図２】
2019006512.tif 000004
【図３】
2019006512.tif 000005
【図４】
2019006512.tif 000006
【図５】
2019006512.tif 000007
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
昇降路の内部にガイドレールを介して昇降動可能に支持された乗りかご及び釣合錘と、
前記昇降路の上部に設けられ、駆動シーブを有する巻上機と、
前記乗りかご及び前記釣合錘に連結され、前記駆動シーブで駆動される複数本のワイヤロープと、を備えるエレベータにおいて、
複数本の全ての前記ワイヤロープを、各ワイヤロープの先端を揃えた状態で前記駆動シーブに巻き掛け、
前記駆動シーブに巻き掛けられた前記ワイヤロープの先端に、前記ワイヤロープの間に跨る固定具を取り付けることで、当該固定具を介して前記ワイヤロープの先端を互いに固定するとともに、前記駆動シーブに巻き掛けられた前記ワイヤロープが自重により前記駆動シーブから巻き戻らないように前記固定具に設けられた錘を用いて前記ワイヤロープを保持し、
この後、前記巻上機を作動させ、前記ワイヤロープが送り出される方向に前記駆動シーブを回転させることで、前記ワイヤロープを引き回すようにしたエレベータのワイヤロープ引き回し方法。
【請求項２】
前記ワイヤロープは、複数の鋼鉄製のストランドを撚り合わせたロープ本体と、前記ロープ本体を被覆した合成樹脂製の外部被覆層と、を備え、前記外部被覆層が前記ワイヤロープの外表面を規定する請求項１に記載のエレベータのワイヤロープ引き回し方法。
【請求項３】
前記外部被覆層は、ポリウレタンのような耐摩耗性および高摩擦係数を有する請求項２に記載のエレベータのワイヤロープ引き回し方法。
【手続補正２】
【補正対象書類名】明細書
【補正対象項目名】０００２
【補正方法】変更
【補正の内容】
【０００２】
近年、エレベータにおいて、抗張力部材の表面をポリウレタンのような耐摩耗性と高摩擦係数を有する樹脂材で被覆したワイヤロープの使用が考慮されている。この種のワイヤロープは、表面の摩擦係数が高く、メインロープに使用した場合、駆動シーブに密着して作動性に優れている。
【手続補正３】
【補正対象書類名】明細書
【補正対象項目名】０００５
【補正方法】変更
【補正の内容】
【０００５】
本発明の実施形態は、複数本のワイヤロープを確実に効率よく引き回すことができるエレベータのワイヤロープ引き回し方法を提供することを目的とする。
【手続補正４】
【補正対象書類名】明細書
【補正対象項目名】０００６
【補正方法】変更
【補正の内容】
【０００６】
一実施形態のエレベータは、昇降路の内部にガイドレールを介して昇降動可能に支持された乗りかご及び釣合錘と、前記昇降路の上部に設けられ、駆動シーブを有する巻上機と、前記乗りかご及び前記釣合錘に連結され、前記駆動シーブで駆動される複数本のワイヤロープと、を備えている。
【手続補正５】
【補正対象書類名】明細書
【補正対象項目名】０００７
【補正方法】変更
【補正の内容】
【０００７】
前記エレベータのワイヤロープ引回し方法は、複数本の全ての前記ワイヤロープを、各ワイヤロープの先端を揃えた状態で前記駆動シーブに巻き掛け、前記駆動シーブに巻き掛けられた前記ワイヤロープの先端に、前記ワイヤロープの間に跨る固定具を取り付けることで、当該固定具を介して前記ワイヤロープの先端を互いに固定するとともに、前記駆動シーブに巻き掛けられた前記ワイヤロープが自重により前記駆動シーブから巻き戻らないように前記固定具に設けられた錘を用いて前記ワイヤロープを保持する。
この後、前記巻上機を作動させ、前記ワイヤロープが送り出される方向に前記駆動シーブを回転させることで、前記ワイヤロープを引き回すようにしたことを特徴としている。
【手続補正６】
【補正対象書類名】明細書
【補正対象項目名】００３４
【補正方法】削除
【補正の内容】